(57)【特許請求の範囲】
【請求項１】
収納部を有するケースと、
このケースに軸支され、回動端側が前記収納部の底に近づいた収納位置、前記回動端側が前記収納部の底から離れた使用位置の間で回動する回動部材と、
この回動部材に、前記回動部材の回動方向と直交方向へ回動可能に軸支され、一端側にホールド部分が設けられ、前記回動部材が収納位置に位置するときに互いの一部が重なり合う２つのカップホルダと、
この２つのカップホルダの少なくとも一方の他端側に設けられた被案内部と、
この被案内部を案内する案内手段と、
前記回動部材を収納位置から使用位置へ回動するように付勢する第１付勢部材と、
前記回動部材を収納位置に保持するための保持手段とを備え、
前記保持手段の保持が解除されて前記回動部材が収納位置から使用位置へ回動するとき、前記被案内部が前記案内手段で案内されて重なり合った前記２つのカップホルダのホールド部分が互いに離間する、
ことを特徴とするカップホルダ装置。
【請求項２】
請求項１に記載のカップホルダ装置において、
前記一方のカップホルダに設けられた前記一方の被案内部材を案内する前記案内手段は、
前記収納部に設けられ、前記回動部材が収納位置に位置するときは前記２つのカップホルダの一部が重なり合うように前記一方のホルダ部分を中心側に位置させ、前記回動部材が使用位置に位置するときは前記一方のホルダ部分を外側に位置させるように傾斜したカム面と、
前記２つのカップホルダの間に配設され、前記一方の被案内部を前記カム面へ圧接させるとともに、前記２つのホールド部分を離間させるように前記２つのカップホルダを付勢する第２付勢部材とで構成されている、
ことを特徴とするカップホルダ装置。
【請求項３】
請求項１または請求項２に記載のカップホルダ装置において、
前記回動部材の軸支点と軸支点とが所定間隔をおいて前記回動部材と略同じ状態で回動できるように前記ケースに軸支され、前記収容部を開閉するリッドを設け、
前記保持手段は、前記収納部を閉成する状態に前記リッドを保持する、
ことを特徴とするカップホルダ装置。
【発明の詳細な説明】
【０００１】
【発明の属する技術分野】
この発明は、例えば自動車のセンターコンソールに取り付けられ、清涼飲料水の入ったカップなどを倒れないように載置することのできるカップホルダ装置に関するものである。
【０００２】
【従来の技術】
従来のカップホルダ装置は、例えば実開平４−１０７１２９号公報に示されているように、収容部を構成するベース部、このベース部に取り付けたリッドにそれぞれ一端が枢着された一対のリンクの他端をそれぞれカップホルダの互いに離間した支点部に枢着し、リッドの開閉に伴ってカップホルダを収納部に出し入れする、カップホルダを中間リンクとするもののように、リンク機構を利用し、ベースに対して上下方向にカップホルダを移動させている。
そして、一方の支点部の枢着を利用して２つのカップホルダのホールド中心を離間させることにより、収納時におけるコンパクト化を図っている。
【０００３】
【発明が解決しようとする課題】
従来のカップホルダ装置は、リンク機構を利用しているので、部品点数が増加することによって高価になるという不都合があった。
【０００４】
この発明は、上記したような不都合を解消するためになされたもので、部品点数が少なく、安価に製造することのできるカップホルダ装置を提供するものである。
【０００５】
【課題を解決するための手段】
この発明にかかるカップホルダ装置は、収納部を有するケースと、このケースに軸支され、回動端側が収納部の底に近づいた収納位置、回動端側が収納部の底から離れた使用位置の間で回動する回動部材と、この回動部材に、回動部材の回動方向と直交方向へ回動可能に軸支され、一端側にホールド部分が設けられ、回動部材が収納位置に位置するときに互いの一部が重なり合う２つのカップホルダと、この２つのカップホルダの少なくとも一方の他端側に設けられた被案内部と、この被案内部を案内する案内手段と、回動部材を収納位置から使用位置へ回動するように付勢する第１付勢部材と、回動部材を収納位置に保持するための保持手段とを備え、保持手段の保持が解除されて回動部材が収納位置から使用位置へ回動するとき、被案内部が案内手段で案内されて重なり合った２つのカップホルダのホールド部分が互いに離間するものである。
【０００６】
そして、一方のカップホルダに設けられた一方の被案内部材を案内する案内手段を、収納部に設けられ、回動部材が収納位置に位置するときは２つのカップホルダの一部が重なり合うように一方のホルダ部分を中心側に位置させ、回動部材が使用位置に位置するときは一方のホルダ部分を外側に位置させるように傾斜したカム面と、２つのカップホルダの間に配設され、一方の被案内部をカム面へ圧接させるとともに、２つのホールド部分を離間させるように２つのカップホルダを付勢する第２付勢部材とで構成したり、回動部材の軸支点と軸支点とが所定間隔をおいて回動部材と略同じ状態で回動できるようにケースに軸支され、収容部を開閉するリッドを設け、保持手段は収納部を閉成する状態にリッドを保持するのが望ましい。
【０００７】
【発明の実施の形態】
以下、この発明の実施形態を図に基づいて説明する。
図１はこの発明の一実施形態であるカップホルダ装置のリッドを閉成させてカップホルダを収納させた状態の左側面図、図２は図１における紙面の前後方向の中心部分で断面として回動部材、カップホルダを二点鎖線で図示した左側面図、図３は図２のＡ−Ａ線で断面として保持手段部分を示す平面図、図４はリッドを開放させてカップホルダを使用状態にした正面図、図５は図４において一部を断面とした左側面図、図６は図４において一部を断面とした平面図、図７はカム面を示す部分拡大斜視図である。
なお、図５は図６のＢ−Ｂ線による断面図であり、図６は図５のＣ−Ｃ線による断面図である。
【０００８】
これらの図において、Ｂはセンタコンソールなどの被取付部材、Ｈは被取付部材Ｂに取り付けられるカップホルダ装置、Ｃはカバーを示し、このカバーＣは、カップホルダ装置Ｈと一体的であっても、カップホルダ装置Ｈと別体であってもよく、被取付部材Ｂに取り付けたカップホルダ装置Ｈの周囲を覆うものである。
Ｕはカップを示す。
なお、被取付部材ＢおよびカップＵは図５にのみ示してあり、カバーＣは図２および図４にのみ示してある。
【０００９】
１はケースを示し、矩形状の収納部２と、この収納部２の下端の中央部分に、図７に示すように、下側から上側へ縮閉する互いに傾斜した２つのカム面３ｆｌ，３ｆｒを有し、案内手段を構成するカム３と、このカム３に連なり、左右方向へ延びたストッパ部となる段部４とが設けられている。
１１は回動部材を示し、段部４よりも下側のケース１の側壁に垂直方向へ回動可能に軸支され、使用位置へ回動すると、図５に示すように、一部が段部４に衝合するものである。
【００１０】
２１Ｌ，２１Ｒはカップホルダを示し、回動部材１１に、回動部材１１の回動方向と直交方向へ回動可能に軸支され、一端側にホールド部分としてのホールド孔２２Ｌ，２２Ｒが設けられ、軸支部分を介して一端側と反対側に位置する他端側に、カム面３ｆｌ，３ｆｒに摺接して案内される被案内部としての突出杆２３Ｌ，２３Ｒが設けられている。
そして、カップホルダ２１Ｌには、軸支部分とホールド孔２２Ｌとの間の右側部分に案内手段を構成するボス２４が設けられるとともに、後述するリッド５１の内面を押したり、リッド５１の内面で押される突出部２５が設けられている。
【００１１】
また、カップホルダ２１Ｒには、軸支部分とホールド孔２２Ｒとの間の左側部分に、カップホルダ２１Ｌのボス２４が係合してカップホルダ２１Ｒを回動させる、案内手段を構成する係合溝２６が設けられている。
なお、各ホルダカップ２１Ｌ，２１Ｒは、図４に示すように、左側に位置するカップホルダ２１Ｌの上側の右側が切り欠かれ、右側に位置するカップホルダ２１Ｒの下側の左側が切り欠かれることにより、互いの一部が重なり合って水平方向の幅を狭くできるように形成されている。
【００１２】
３１は案内手段を構成する第２付勢部材としてのトーションスプリングを示し、２つのカップホルダ２１Ｌ，２１Ｒの間に張架され、ホールド孔２１Ｌ，２１Ｒ側を離間させ、突出杆２３Ｌ，２３Ｒを対応するカム面３ｆｌ，３ｆｒへ圧接させるように付勢するものである。
４１は第１付勢部材としてのトーションスプリングを示し、ケース１と、回動部材１１の軸との間に張架され、図２における収納位置の回動部材１１を、図４〜図６における使用位置へ回動させ、回動部材１１の一部を段部４へ衝合させるように付勢するものである。
【００１３】
５１はリッドを示し、ケース１の下端部に回動可能に軸支され、回動端の中央部分に係合部５２が設けられ、使用状態のカップホルダ２１Ｌ，２１Ｒの下に位置する部分に、カップＵの底に当接してカップＵの下側周縁に内側から係合する円形状の受けリブ５３Ｌ，５３Ｒが設けられるとともに、内側へ凹んだ取手部５４が設けられている。
６１は保持手段としてのプッシュ・プッシュ式のラッチを示し、ケース１の収納部２の上側中央部分に取り付けられ、係合部５２を保持して収納部２を閉成した状態に、リッド５１を保持するものである。
【００１４】
次に、動作について説明する。
まず、図１および図２に示すように、ラッチ６１が係合部５２を保持してケース１の収納部２をリッド５１で閉成した状態においては、カップホルダ２１Ｌ，２１Ｒの突出杆２３Ｌ，２３Ｒがトーションスプリング３１の付勢力によって対応するカム面３ｆｌ，３ｆｒの下端側に圧接しているので、図２および図４に二点鎖線で示すように、２つのカップホルダ２１Ｌ，２１Ｒは一部が重なり合って水平方向の幅が狭くなった状態で収納部２に収納され、回動部材１１およびカップホルダ２１Ｌ，２１Ｒは収納位置に位置する。
【００１５】
この状態では、回動部材１１がトーションスプリング４１によって使用位置へ回動するように付勢されているので、カップホルダ２１Ｌの突出部２５がリッド５１の内面に衝合している。
そして、リッド５１の上端を押してラッチ６１のロックを解除すると、リッド５１は回動可能となり、カップホルダ２１Ｌの突出部２５で押されるので、リッド５１に軽く指を添えて回動させることにより、図４〜図６に示すように、リッド５１を回動させて収納部２を開放させることができる。
【００１６】
また、回動部材１１はトーションスプリング４１で使用位置へ回動するように付勢され、２つのカップホルダ２１Ｌ，２１Ｒは互いに離間し、２つの突出杆２３Ｌ，２３Ｒは各カム面３ｆｌ，３ｆｒに圧接するようにトーションスプリング３１で付勢され、ボス２４は係合溝２６内を移動しながらカップホルダ２１Ｒを回動させ、２つのカム面３ｆｌ，３ｆｒは上側へ縮閉するように傾斜しているので、２つの突出杆２３Ｌ，２３Ｒが各カム面３ｆｌ，３ｆｒに案内されて回動部材１１が使用位置へ近づくにつれて２つのカップホルダ２１Ｌ，２１Ｒは互いに離間し、回動部材１１の一部が段部４に圧接する使用位置に到達すると、２つのカップホルダ２１Ｌ，２１Ｒは互いに離れ、ホールド孔２２Ｌ，２２Ｒから離れた下にリッド５１の受けリブ５３Ｌ，５３Ｒが位置する、図４〜図６の使用状態となる。
【００１７】
したがって、図５に示すように、カップホルダ２１Ｌ，２１Ｒの上側から各ホールド孔２２Ｌ，２２ＲへカップＵの下側を挿入し、カップＵの底を受けリブ５３Ｌ，５３Ｒ上に位置させてリッド５１に載置すると、受けリブ５３Ｌ，５３ＲがカップＵの下側周縁の内側に位置することになり、カップホルダ装置Ｈで２つのカップＵを倒れないように支持することができる。
【００１８】
次に、リッド５１を閉成して回動部材１１およびカップホルダ２１Ｌ，２１Ｒを収納部２に収納させる動作について説明すると、図５において、リッド５１を反時計方向へ回動させると、リッド５１が内面で突出部２５を押すので、回動部材１１はトーションスプリング４１の付勢力に抗して反時計方向へ回動し、２つのカップホルダ２１Ｌ，２１Ｒは、トーションスプリング４１の付勢力に抗して反時計方向へ回動するとともに、トーションスプリング３１の付勢力に抗して２つの突出杆２３Ｌ，２３Ｒが各カム面３ｆｌ，３ｆｒで案内され、ボス２４は係合溝２６内を移動しながらカップホルダ２１Ｒを回動させ、２つのカム面３ｆｌ，３ｆｒは下側へ拡開するように傾斜しているので、２つのカップホルダ２１Ｌ，２１Ｒは、互いに近づいて一部が重なり合い、図４に二点鎖線で示すように、収納部２の幅よりも狭くなる。
そして、係合部５２がラッチ６１に保持されると、回動部材１１およびカップホルダ２１Ｌ，２１Ｒは、図１および図２に示す収納状態となる。
【００１９】
上述したように、この発明の一実施形態によれば、収納部２内にカム面３ｆｌ，３ｆｒおよび段部４を設けたケース１に軸支された回動部材１１をトーションスプリング４１で使用位置へ付勢し、回動部材１１に軸支された２つのカップホルダ２１Ｌ，２１Ｒにホールド孔２２Ｌ，２２Ｒおよび突出杆２３Ｌ，２３Ｒを設け、突出杆２３Ｌ，２３Ｒをカム面３ｆｌ，３ｆｒに圧接させるようにトーションスプリング３１で２つのカップホルダ２１Ｌ，２１Ｒを付勢し、収納部２を閉成するリッド５１をラッチ６１で保持する構成としたので、部品点数が少なく、安価に製造することができる。
【００２０】
そして、突出杆２３Ｌ，２３Ｒがトーションスプリング３１の付勢力でカム面３ｆｌ，３ｆｒに圧接するので、２つのカップホルダ２１Ｌ，２１Ｒが幅方向へがたつかなくなる。
また、カム面３ｆｌ，３ｆｒで突出杆２３Ｌ，２３Ｒを案内するので、カップホルダ２１Ｌ，２１Ｒの回動がスムーズになる。
さらに、リッド５１を設けたので、収納状態における収納部２をリッド５１で覆って収納部２内を見えないようすることができる。
【００２１】
そして、回動部材１１とリッド５１との支軸を離したので、カップホルダ２１Ｌ，２１Ｒの高さを短くしても十分にカップＵなどを倒れないように支持でき、カップホルダ装置Ｈの厚さを薄くすることができるとともに、リッド５１をカップＵの受け部材とすることができる。
また、リッド５１に受けリブ５３Ｌ，５３Ｒを設けたので、ホールド孔２２Ｌ，２２Ｒに比較して小径の缶などを載置させた場合、受けリブ５３Ｌは缶などの下端周縁に内側から係合してホールド孔２２Ｌの周縁に缶などを近づけ、受けリブ５３Ｒは内周部分に缶などの下端部分を位置させることにより、小径の缶などをも倒れないように支持することができる。
【００２２】
なお、上記した実施形態で、回動部材１１を段部４に衝合させて使用位置に停止させたが、突出杆２３Ｌ，２３Ｒを段部４に衝合させて使用位置に停止させたり、回動部材１１または突出杆２３Ｌ，２３Ｒを他の部分に衝合させて使用位置に停止させてもよい。
そして、突出杆２３Ｌ，２３Ｒを案内する案内手段を、下側から上側へ縮閉する互いに傾斜したガイド溝とし、ボス２４、係合溝２６およびトーションスプリング３１を省略する構成としても、同様に動作させることができ、突出杆２３Ｌ，２３Ｒが摺接する部分に摩擦抵抗の小さなテープなどを貼付すると、カップホルダ２１Ｌ，２１Ｒの回動をさらにスムーズに行わせることができる。
【００２３】
また、突出杆を一方の突出杆２３Ｌまたは突出杆２３Ｒとして、ボス２４と、係合溝２６と、突出杆２３Ｌまたは突出杆２３Ｒを案内する傾斜したガイド溝とで案内手段を構成したり、ボス２４と、係合溝２６と、トーションスプリング３１と、突出杆２３Ｌまたは突出杆２３Ｒを案内するカム面３ｆｌまたはカム面３ｆｒとで案内手段を構成しても、同様に動作させることができる。
さらに、リッド５１を省略し、回動部材１１またはカップホルダ２１Ｌ，２１Ｒの一方を収納位置にラッチで保持し、２つのカップホルダ２１Ｌ，２１Ｒを有底とするとともに、互いの一部が重なるように一部を切り欠いた構成としても、同様に動作させることができる。
【００２４】
そして、ケース１を立てた状態に配設する縦型としたが、ケースを水平にしてセンターコンソールなどに配設する横型にも適用できることは言うまでもない。
【００２５】
【発明の効果】
以上のように、この発明によれば、収納部内に案内手段を設けたケースに軸支された回動部材を付勢部材で使用位置へ付勢し、回動部材に軸支された２つのカップホルダの少なくとも一方に被案内部を設け、被案内部を案内手段で案内して２つのカップホルダを接離させることにより、収納位置に位置するときに２つのカップホルダの一部を重ね合わせ、使用位置に位置するとき２つのカップホルダのホールド部分を離間させる構成としたので、収納部に対して上下方向に移動するカップホルダにおいて収納時の省スペース化が図れるとともに、リンク機構は不要となり、部品点数が少なく、安価に製造することができる。
【００２６】
そして、案内手段をカム面と、被案内部をカム面へ圧接させるとともに、２つのホールド部分を離間させるように２つのカップホルダを付勢する第２付勢部材とで構成したので、２つのカップホルダが幅方向へがたつかなくなるとともに、２つのカップホルダの回動がスムーズになる。
【００２７】
さらに、リッドを設けたので、収納状態における収納部をリッドで覆って収納部内を見えないようすることができる。
また、回動部材とリッドとの支軸を離したので、２つのカップホルダの高さを短くしても十分にカップなどを倒れないように支持でき、カップホルダ装置の厚さを薄くすることができるとともに、リッドをカップの受け部材とすることもできる。
【図面の簡単な説明】
【図１】この発明の一実施形態であるカップホルダ装置のリッドを閉成させてカップホルダを収納させた状態の左側面図である。
【図２】図１における紙面の前後方向の中心部分で断面として回動部材、カップホルダを二点鎖線で図示した左側面図である。
【図３】図２のＡ−Ａ線で断面として保持手段部分を示す平面図である。
【図４】リッドを開放させてカップホルダを使用状態にした正面図である。
【図５】図４において一部を断面とした左側面図である。
【図６】図４において一部を断面とした平面図である。
【図７】カム面を示す部分拡大斜視図である。
【符号の説明】
Ｈ              カップホルダ装置
１              ケース
２              収納部
３              カム
３ｆｌ，３ｆｒ  カム面
４              段部
１１            回動部材
２１Ｌ，２１Ｒ  カップホルダ
２２Ｌ，２２Ｒ  ホールド孔
２３Ｌ，２３Ｒ  突出杆
２４            ボス
２５            突出部
２６            係合溝
３１，４１      トーションスプリング
５１            リッド
５２            係合部
５３Ｌ，５３Ｒ  受けリブ
５４            取手部
６１            ラッチ
Ｕ              カップ
【図１】
0003647540.tif 000002
【図２】
0003647540.tif 000003
【図３】
0003647540.tif 000004
【図４】
0003647540.tif 000005
【図５】
0003647540.tif 000006
【図６】
0003647540.tif 000007
【図７】
0003647540.tif 000008